(57)【要約】【課題】光の利用効率や輝度分布を悪化させずに、薄型化及び小型化を図ることのできる照明装置、及び、これを備えた電気光学装置を提供する。【解決手段】本発明の照明装置１１０は、平面状の光出射面１１２ｂを備えた導光板１１２と、該導光板の端面１１２ａに対向配置された光放出面を備えた光源１１１とを有し、前記光源から放射された光が前記端面から前記導光板内に入射し、前記導光板内を伝播して前記光出射面から出射されるように構成された照明装置において、少なくとも前記端面に向かう方向の一部範囲に前記端面に向けて厚みが増大する領域が設けられ、前記光源の光軸１１１ｘが前記光出射面の反対の面側１１２ｃに傾けて設置されていることを特徴とする。【選択図】図１
2007141596.tif 000002
【特許請求の範囲】
【請求項１】
平面状の光出射面を備えた導光板と、該導光板の端面に対向配置された光放出面を備えた光源とを有し、前記光源から放射された光が前記端面から前記導光板内に入射し、前記導光板内を伝播して前記光出射面から出射されるように構成された照明装置において、
前記導光板には、少なくとも前記端面に向かう方向の一部範囲に前記端面に向けて厚みが増大するように構成された領域が設けられ、
前記光源の光軸が前記光出射面の反対の面側に傾けて設置されていることを特徴とする照明装置。
【請求項２】
前記導光板は、前記光出射面の前記端面側に、前記端面に向けて徐々に厚みが漸増する光入射領域を有することを特徴とする請求項１に記載の照明装置。
【請求項３】
前記光入射領域にはその厚みを前記端面に向けて漸増させるための傾斜面が形成され、該傾斜面は前記光出射面の前記端面側に隣接して設けられていることを特徴とする請求項２に記載の照明装置。
【請求項４】
前記光軸の前記光出射面を基準とした傾斜角が前記傾斜面の傾斜角以下であることを特徴とする請求項３に記載の照明装置。
【請求項５】
前記光軸の傾斜角は前記傾斜面の傾斜角の半分であることを特徴とする請求項４に記載の照明装置。
【請求項６】
前記端面は、前記光出射面と直交する面に対して前記光源の光軸と直交する側に傾斜していることを特徴とする請求項１乃至５のいずれか一項に記載の照明装置。
【請求項７】
前記光源を支持し、前記光出射面の反対側に傾斜した支持部材を有することを特徴とする請求項１乃至６のいずれか一項に記載の照明装置。
【請求項８】
前記光源を支持する支持部材を有し、前記光源は、前記支持部材に支持される設置面と、該設置面に対して傾斜した前記光軸とを有することを特徴とする請求項１乃至６のいずれか一項に記載の照明装置。
【請求項９】
前記光放出面が前記端面と密接していることを特徴とする請求項１乃至８のいずれか一項に記載の照明装置。
【請求項１０】
請求項１乃至９のいずれか一項に記載の照明装置と、該照明装置の前記光出射面上に重なり配置される電気光学制御体とを具備することを特徴とする電気光学装置。
【請求項１１】
前記電気光学制御体は前記光出射面と平行に配置されていることを特徴とする請求項１０に記載の電気光学装置。
【請求項１２】
請求項１０又は１１に記載の電気光学装置を搭載したことを特徴とする電子機器。
【発明の詳細な説明】
【技術分野】
【０００１】
本発明は照明装置、電気光学装置及び電子機器に係り、特に、導光板と、この導光板の端面に対向配置される光源とを備えた照明装置の構造に関する。
【背景技術】
【０００２】
一般に、液晶表示体は、図８に示すように、一対の基板２１，２２をシール材２３を介して貼り合わせ、その間に液晶２４を封入したものであり、必要に応じて基板２１，２２の外面上に偏光板２５，２６が配置される。このような液晶表示体２０を用いて構成される表示装置では、バックライトを液晶表示体２０の背後に配置し、バックライトの照明光を用いて表示を視認可能とする場合が多い。バックライトとしては、冷陰極管やＬＥＤ等の光源を備えた種々のものが知られている。特に、薄型化が要求される表示装置では、バックライトとして、平面状の光出射面を備えた導光板と、この導光板の端面に対向配置された光源とを備えたサイドライト型のバックライトが用いられる（例えば、以下の特許文献１参照）。
【０００３】
上記のサイドライト型のバックライトでは、導光板の表面や裏面に種々の光学構造を形成したり、導光板の光出射面上に光拡散板や光集光板等を配置したりすることによって、光出射面上の輝度の均一化、及び、照明光の光出射角分布の好適化を図っている。
【特許文献１】特開平１１−２２４０５８号公報
【発明の開示】
【発明が解決しようとする課題】
【０００４】
しかしながら、前述のバックライトでは、光源よりも厚みのある導光板を用いることが前提となっているため、バックライトの厚みを低減することができず、その結果、電気光学装置全体の厚みを低減することができないという問題点がある。例えば、上記特許文献１の光源部３は、ランプ（冷陰極管）５の周囲に反射板を兼ねるランプホルダ７を配した構造を有するため、厚みのある構造を有しており、導光板９もまた、このような厚みのある構造に対応する厚みを有するものとなっている。このような構造では、バックライトの厚みは少なくとも１０ｍｍ前後となり、当該厚みを数ミリ以下とすることは到底できない。
【０００５】
例えば、近年の液晶表示体では、ガラス基板の厚みを薄くすることによって全体で１〜１．５ｍｍ程度の厚みに形成することができるようになってきているが、表示装置としてはこれにバックライトの厚みが加わるので、表示装置全体の厚みを低減することは難しい。サイドライト型のバックライトでは、液晶表示体に重ねて配置されるものは主として導光板であるが、導光板への光の取り込み効率を低下させないようにするためには導光板の厚みを光源の厚みに対応したものとする必要があることから、光源の厚みの低減が難しいために導光板の厚みを削減することも困難であった。
【０００６】
そこで、図８に示すように、ＬＥＤ等からなる光源１１、これに対向する端面１２ａ及び平面状の光出射面１２ｂを備えた導光板１２、反射板１３、光拡散板１４、集光板１５，１６、及び、光源１１を実装する配線基板１７を有するバックライト（照明装置）１０において、導光板１２の上面のうち、平面状に構成された光出射面１２ｂの端面１２ａ側に隣接する部分を傾斜縁面１２ｄとし、これによって導光板１２の端面１２ａ近傍の厚みを、光出射面１２ｂの形成されている平坦領域の厚みよりも端面１２ａに向けて徐々に厚くする方法が考えられる。
【０００７】
このバックライト１０では、端面１２ａを光源１１の光放出面１１ａとほぼ対応した厚みとすることができるため、光源１１の光を効率的に導光板１２内に取り込むことができるとともに、液晶表示体２０の表示領域Ａと重なる光出射面１２ｂが設けられた平坦領域においては導光板１２を薄く形成することができるため、光源１１の厚みに制約を受けずに表示装置全体の薄型化を図ることができるという利点がある。なお、図８に示す傾斜縁面１２ｄの傾斜角は図面上では３０度程度に描かれているが、これは構造をわかりやすくするために強調したものであって、実際には高々数度程度が望ましいものと思われる。
【０００８】
ところが、上記のバックライト１０でも、光源１１の厚みと導光板１２の光出射面の形成領域の厚みとの間にそれほど大きな差がない場合には問題はないが、当該厚みの差が大きくなると、傾斜縁面１２ｄの傾斜角が大きくなり、これによって光源１１の光が傾斜縁面１２ｄから外部へ漏れやすくなるため、光の導光板１２への取り込み効率が低下したり、或いは、表示領域Ａ内の光源１１側の部分が他の部分より輝度が大きくなる現象（目玉現象）が発生したりするという問題点がある。また、上記の厚みの差が大きくなった場合には、傾斜縁面１２ｄの傾斜角を大きくする代わりに傾斜縁面１２ｄの幅を大きくして端面１２ａの厚みを確保するという方法も考えられるが、この方法では、表示領域Ａの外側にある部分（額縁領域）の張出量が大きくなるため、照明ユニットの平面サイズが大型化し、装置の小型化に反する結果になる。
【０００９】
そこで、本発明は上記問題点を解決するものであり、その課題は、光の利用効率や輝度分布を悪化させずに、薄型化及び小型化を図ることのできる照明装置、及び、これを備えた電気光学装置を提供することにある。
【課題を解決するための手段】
【００１０】
斯かる実情に鑑み、本発明の照明装置は、平面状の光出射面を備えた導光板と、該導光板の端面に対向配置された光放出面を備えた光源とを有し、前記光源から放射された光が前記端面から前記導光板内に入射し、前記導光板内を伝播して前記光出射面から出射されるように構成された照明装置において、前記導光板には、少なくとも前記端面に向かう方向の一部範囲に前記端面に向けて厚みが増大する領域が設けられ、前記光源の光軸が前記光出射面の反対の面側に傾けて設置されていることを特徴とする。
【００１１】
本発明によれば、光源の光軸が導光板の光出射面の反対の面側に傾けて設置されることにより、光源から放出された光の分布ピークが導光板の光出射面に対してその反対側（裏面側）へ傾いた斜め方向に設定されることとなるため、導光板の光出射面の形成領域における厚みを光源の光放出面の厚みよりも薄くした場合でも、光の導光板への取り込み効率の低下を抑制することができるとともに、光出射面における光源に近い部分に輝度の大きな領域（目玉領域）が形成されることを防止できる。また、導光板には、端面に向かう方向の少なくとも一部範囲に端面に向けて厚みが増大する領域が設けられていることにより、光源に対向する端面の厚みを大きくすることができるため、導光板への光の取り込み効率を高めることができる。
【００１２】
本発明において、前記導光板は、前記光出射面の前記端面側に、前記端面に向けて徐々に厚みが漸増する光入射領域を有することが好ましい。これによれば、導光板の端面側に、端面に向けて厚みが漸増する光入射領域を設けることにより、光源の光放出面の厚みが導光板の光出射面の形成領域（光出射領域）よりも厚い場合でも、導光板への光の取り込み効率を高めることができる。
【００１３】
本発明において、前記光入射領域にはその厚みを前記端面に向けて漸増させるための傾斜面が形成され、該傾斜面は前記光出射面の前記端面側に隣接して設けられていることが好ましい。光入射領域に形成される傾斜面を光出射面の端面側に隣接して設けることにより、導光板の光出射面とは反対側の面に、光入射領域の厚みを形成するための突出部分を設けなくて済むので、光出射面上に各種表示体（例えば、液晶表示体などの電気光学制御体）を配置した場合に、表示装置全体をより効率的に薄型化できる。特に、導光板の平面サイズをコンパクト化できる点で、上記傾斜面は端面に隣接する縁部に形成された面（傾斜縁面）であることが望ましい。
【００１４】
本発明において、前記光軸の前記光出射面を基準とした傾斜角が前記傾斜面の傾斜角以下であることが好ましい。光源の光軸の傾斜角を傾斜面の傾斜角以下とすることにより、縁面に対する光軸の角度を小さくして傾斜面からの光漏れを防止することができるだけでなく、導光板の光出射面とは反対側の面に対する光軸の角度の増大を抑制できるため、光出射面の光源側の輝度の増大を抑制することができ、光出射面の輝度の均一性を高めることができる。特に、光軸の傾斜角が傾斜面の傾斜角より小さいことが望ましい。
【００１５】
本発明において、前記光軸の傾斜角は前記傾斜面の傾斜角の半分であることが好ましい。これによれば、傾斜面からの光漏れの抑制と、光出射面上の輝度の均一性の向上とを両立することができる。
【００１６】
本発明において、前記端面は、前記光出射面と直交する面に対して前記光源の光軸と直交する側に傾斜していることが好ましい。これによれば、導光板の端面が光軸と直交する側に傾斜していることによって、端面における導光板に対する光の取り込み効率を高めることができる。特に、導光板の端面が光源の光軸と直交することが望ましい。
【００１７】
本発明において、前記光源を支持し、前記光出射面の反対側に傾斜した支持部材を有することが好ましい。これによれば、傾斜した支持部材上に光源を支持することで、光軸の傾きを設定できる。
【００１８】
本発明において、前記光源を支持する支持部材を有し、前記光源は、前記支持部材に支持される設置面と、該設置面に対して傾斜した前記光軸とを有することが好ましい。これによれば、光源が設置面に対して傾斜した光軸を有することで、光軸の傾きを設定できる。
【００１９】
本発明において、前記光放出面が前記端面と密接していることが好ましい。光源の光放出面が導光板の端面と密接していることで、導光板への光の取り込み効率を高めることができる。
【００２０】
次に、本発明の電気光学装置は、上記のいずれかに記載の照明装置と、該照明装置の前記光出射面上に重なり配置される電気光学制御体とを具備することを特徴とする。ここで、電気光学制御体とは、電気光学物質を何らかの形で制御することができるもの、例えば、照明装置や照明機能部分を伴わない液晶表示体、電気泳動表示体等を言う。
【００２１】
本発明において、前記電気光学制御体は前記光出射面と平行に配置されていることが好ましい。これによれば、電気光学制御体と導光板の光出射面とが平行に配置されていることで、電気光学制御体と導光板の重なり部分を最も効率的に薄型化できる。
【００２２】
さらに、本発明の電子機器は、上記の電気光学装置を搭載したことを特徴とする。本発明の電子機器としては、電気光学装置の薄型化及び小型化を有効に利用することができるという点で、携帯側電子機器であることが好ましい。
【発明を実施するための最良の形態】
【００２３】
次に、添付図面を参照して本発明の実施形態について詳細に説明する。図１（ａ）は本実施形態の電気光学装置１００の構造を示す概略縦断面図、図１（ｂ）は電気光学装置１００内に設けられた照明装置である照明ユニット１１０の概略平面図である。
【００２４】
本実施形態の電気光学装置１００は、上記の照明ユニット１１０と、この照明ユニット１１０に重なり配置される電気光学制御体１２０とを有する。照明ユニット１１０は、ＬＥＤ等で構成される光源１１１と、この光源１１１に隣接して配置される導光板１１２とを含む。また、この照明ユニット１１０には、光の利用効率や光出射面上の輝度の均一性を向上させるために、必要に応じて、導光板１１２の背後に配置される反射板１１３と、導光板１１２の前方に配置される光拡散板１１４及び集光板１１５，１１６とが設けられている。
【００２５】
光源１１１は配線基板１１７に実装され、端子部１１７ｘ等を介して外部から電力が光源１１１に供給されるように構成されている。光源１１１は、本実施形態の場合、直方体（チップ）状の発光素子であり、その一つの外面（導光板１１２と対向する面）が光放出面１１１ａとなっている。発光素子としては、ＬＥＤ（発光ダイオード）やＬＤ（レーザーダイオード）等が挙げられる。このような素子としては、例えば、ＬＥＤ等の半導体接合構造体を透明樹脂で被覆し、上記光放出面１１１ａのみに透明樹脂が露出するとともに、他の面は白色樹脂等の光反射性素材で構成されたものが知られている。配線基板１１７はポリイミド樹脂等で構成されたＦＰＣ（フレキシブル配線基板）であることが好ましいが、ガラスエポキシ樹脂、フェノール樹脂、セラミックス等で構成された硬質基板（リジッド配線基板）であってもよい。
【００２６】
また、導光板１１２は平面矩形の板状体であり、アクリル樹脂、ポリカーボネート等の透明な素材で構成されている。当該素材はなるべく光屈折率の高いものが好ましいので、たとえば、１．５６〜１．５７程度の屈折率を有するポリカーボネートを用いることが望ましい。導光板１１２には光源１１１が対向配置される端面１１１ａが設けられ、この端面１１１ａから光源１１１が放出する光を取り込み、当該光を内部で伝播させながら、上面である光出射面１１２ｂから徐々に放出するようになっている。光出射面１１２ｂと反対側の面（裏面）１１２ｃには、後述する光偏向手段が設けられ、この光偏向手段によって導光板１１２の内部伝播光が徐々に光出射面１１２ｂ側に偏向され、出射されるようになっている。
【００２７】
なお、図示例では、導光板１１２は、光出射面１１２ｂと裏面１１２ｃとが平行に構成され、光出射面１１２ｂの形成されている平面範囲が平行平板状の平坦領域Ｂとなっている。
【００２８】
また、裏面１１２ｃ上に配置された反射板１１３によって、裏面１１２ｃから出射された光が反射され、再び導光板１１２内に戻り、やがて光出射面１１２ｂから出射される。この反射板１１３としては、ポリエチレン樹脂等の白色の樹脂シート、或いは、基材シートの表面に金属膜を蒸着したものなどが用いられる。
【００２９】
導光板１１２の上記端面１１１ａが設けられた辺には、上記端面１１１ａよりも外側に張り出した張り出し部１１２ｅが設けられている。そして、端面１１１ａは当該辺における平面視で凹状に凹んだ部分に設けられている。端面１１１ａと光出射面１１２ｂとの間には、導光板１１２の上面の一部である傾斜縁面１１２ｄが形成されている。傾斜縁面１１２ｄは、平坦な光出射面１１２ｂとは異なり、端面１１１ａに向けて徐々に上方へ向かうように傾斜しており、これによって、傾斜縁面１１２ｄが設けられている平面範囲は、端面１１１ａに向けて徐々に厚さが漸増する光入射領域Ｃとなっている。
【００３０】
この光入射領域Ｃを設けることで、平坦領域Ｂの厚みよりも光源１１１の光放出面１１１ａの厚みの方が大きい場合、端面１１２ａの厚み方向の範囲が拡大されるため、光放出面１１１ａから放出される光をより多く導光板１１２内に取り込むことが可能になる。このとき、導光板１１２への光の取り込み効率を高めるために、端面１１２ａの厚みは、光放出面１１１ａの厚みと同じか、それ以上であることが好ましい。図示例では、端面１１２ａの厚みは光放出面１１１ａの厚みと同一となっている。実際には、端面１１２ａの厚みを大きくしすぎると、傾斜角θ２が大きくなったり、導光板１１２の平面サイズが大きくなったりするので、端面１１２ａの厚みを光放出面１１１ａの厚みの１００％〜１２０％の範囲内に設定することが望ましい。
【００３１】
導光板１１２の上記張り出し部１１２ｅの表面上には、光源１１１が実装された配線基板１１７の表面が支持されている。配線基板１１７と張り出し部１１２ｅとは単に当接した状態で保持されていてもよく、或いは、接着剤や両面接着シート等で固着されていてもよい。張り出し部１１２ｅの表面は上記傾斜縁面１１２ｄと同じ傾斜角、若しくは異なる傾斜角で傾斜しており、この張り出し部１１２ｅの表面の傾斜角が配線基板１１７の傾斜角（図示例の場合には光源１１１の光軸の傾斜角）とほぼ一致するように構成されている。なお、本実施形態では、後述する光源１１１の光軸の傾斜角は、光源１１１が支持される上記支持部材に相当する配線基板１１７の傾斜角によって設定される。
【００３２】
電気光学制御体１２０は、ガラスやプラスチック等で構成される一対の基板１２１，１２２がシール材１２３によって貼り合わされ、両基板１２１と１２２の間に電気光学物質である液晶１２４が封入された構造を有する。基板１２１と１２２の外面上には偏光板１２５，１２６が配置（貼着）されている。
【００３３】
この電気光学制御体１２０は、基板１２１，１２２の内面上に形成された図示しない電極構造によって電気光学物質に電界を印加することができ、当該電界によって電気光学物質の光学状態を制御することができるように構成されたものである。図示例の場合には、印加した電界に応じて制御される液晶１２４の光変調特性に応じて所望の表示態様が実現される。
【００３４】
なお、図１に示す表示領域Ａは、上記の電気光学制御体１２０のうち、電気光学物質（液晶）に対する制御が行われ、その表示態様が制御可能に構成された領域、例えば、典型的には複数の画素が縦横に配列され、これらの画素がそれぞれ独立して制御可能とされることにより、所望の表示が実現できる領域である。
【００３５】
図２は本実施形態の照明ユニット１１０における光源１１１の近傍を拡大して示す拡大部分断面図、図３は、図８に示す比較例の照明ユニット１０における光源１１の近傍を拡大して示す拡大部分断面図である。なお、図示例では、上記の光偏向手段の一例として、導光板１２，１１２の裏面１２ｃ、１１２ｃ上に形成された、複数の光偏向用斜面１２ｃｘ、１１２ｃｘが設けられている。ただし、これらの光偏向用斜面はあくまでも光偏向手段の一例であり、本発明においては何ら限定されるものではない。
【００３６】
図２に示すように、本実施形態では、光源１１１の光軸１１１ｘは、導光板１１２の光出射面１１２ｂの反対側に傾くように設定されている。すなわち、図８に示す比較例では、図３に示すように、光軸１１ｘは光出射面１２ｂと平行に設定されているが、本実施形態では、光軸１１１ｘは、光出射面１１２ｂに平行に伸びる方向を基準として、裏面１１２ｃ側に傾斜した方向に伸びるように設定されている。
【００３７】
図３に示す比較例では光軸１１ｘが光出射面１２ｂと平行に設定されていることにより、光源１１から放出された光のうち、傾斜縁面１２ｄに対して小さな入射角を有する光が多くなるため、傾斜縁面１２ｄから外部に光が出射しやすくなり、光漏れが大きくなるが、本実施形態では、光軸１１１ｘが光出射面１１２ｂに対して傾斜し、裏面１１２ｃ側に傾いていることにより、光源１１１から放出された光の傾斜縁面１１２ｄに対する入射角が大きくなるため、傾斜縁面１１２ｄでより全反射しやすくなり、傾斜縁面１１２ｄからの光漏れを低減することができる。したがって、導光板１１２への光の取り込み効率の低下を抑制できるとともに、導光板１１２の光源１１１側の領域に輝度の大きな領域（目玉領域）が発生することを防止できる。
【００３８】
本実施形態では、光出射面１１２ｂを基準とした光軸１１１ｘの傾斜角θ１を、光出射面１１２ｂを基準とした傾斜縁面１１２ｄの傾斜角θ２以下に設定することが好ましい。これは、θ１をθ２より大きくすると、導光板１１２に対する光の取り込み角が逆に裏面１１２ｃ側に大きく偏り過ぎ、光の取り込み効率が低下したり、裏面１１２ｃや反射板１１３で反射された光により光源１１１の近傍の輝度が過剰になるなど、光出射面１１２ｂから出射される光の輝度分布の均一性に悪影響を与えたりする虞があるからである。特に、同じ観点から見て、傾斜角θ１を傾斜角θ２未満にすることがさらに望ましい。
【００３９】
光入射領域Ｃにおける傾斜縁面１１２ｄの傾斜角θ２（或いはその平均値）は、約１．５の光屈折率を有する導光板１１２を用いた場合、光出射面１１２ｂに対して１〜１０度、好ましくは２〜８度の範囲内であることが好ましい。ただし、この傾斜角θ２の好ましい値は、導光板１１２の光屈折率や光源１１１の光軸１１１ｘの傾斜角等によって変化する。
【００４０】
図示例の場合には、傾斜角θ１は傾斜角θ２の半分に設定されている。このようにすると、光軸１１１ｘと傾斜縁面１１２ｄとの角度差と、光軸１１１ｘと裏面１１２ｃとの角度差が同じになるため、光源１１１から放射される光に対する導光板１１２における端面１１２ａ近傍の表裏両面の位置付けが均等になる。したがって、傾斜縁面１１２ｄからの光漏れの抑制と裏面１１２ｃや反射板１１３による反射光の影響とをバランスさせることができることにより導光板１１２への実質的な光の取り込み効率を高めることができるとともに、導光板１１２の光源１１１側の光出射面１１２ｂの輝度の均一性を向上させることができるので、光学特性を高いレベルでバランスよく実現することが可能になる。具体的には、θ１はθ２の０．４〜０．６倍程度とすることが好ましく、０．４５〜０．５５倍の範囲内にすることが望ましい。
【００４１】
光源１１の光放出面１１ａの厚みを０．６ｍｍとした場合において、導光板を厚み０．６ｍｍの平行平板としたときの光の取り込み効率を１００％としたとき、図３に示す比較例においては、傾斜縁面１２ｄの傾斜角を６度、導光板１１２の平坦領域Ｂの厚みを０．４５ｍｍとしたときの取り込み効率は約８５％であった。また、傾斜縁面１２ｄの傾斜角を６度、導光板１１２の平坦領域Ｂの厚みを０．３ｍｍとしたとき、取り込み効率は約７０％であった。これらの比較例の取り込み効率は、平行平板状の導光板の厚みをそのまま低下させて用いる場合よりは高くなるが、光放出面１１ａの厚みと、平坦領域Ｂの厚みとの差が大きくなるほど、相対的に低下していく。また、光放出面１１ａの厚みと平坦領域Ｂの厚みとの差が大きくなると、上記の傾斜縁面１２ｄの傾斜角を大きくするか、或いは、傾斜縁面１２ｄの幅（図３の左右方向に測った幅）を大きくする必要がある。ここで、傾斜角を大きくする場合には傾斜縁面１２ｄからの光漏れがさらに大きくなり、取り込み効率が低下する。一方、傾斜縁面の幅を大きくする場合には、導光板１２の表示領域Ａの周囲にある領域（額縁領域）のサイズが大きくなり、装置の小型化に反する結果となる。
【００４２】
本実施形態では、光源１１１の光軸１１１ｘを光出射面１１２ｂの反対側（裏面１１２ｃ側）に傾けることにより、傾斜縁面１１２ｄからの光漏れを低減することができ、導光板１１２への光の取り込み効率を高めることができるとともに、導光板１１２の光出射面１１２ｂ上の輝度の均一性への影響も抑制することができる。上記の比較例と同じ条件では、光軸１１１ｘを裏面１１２ｃ側に３度傾斜させることによって光の取り込み効率を高めることができ、しかも、光出射面１１２ｂ上の輝度の均一性にほとんど影響を与えないばかりか、端面１１２ａの近傍領域においては輝度の均一性を却って比較例よりも向上させることができる。
【００４３】
本実施形態では、上記のような効果を得ることができるため、導光板１１２の明るさや輝度の均一性に影響を与えない範囲で傾斜縁面１１２ｄの傾斜角θ２を比較例よりも大きく設定することができるため、平坦領域Ｂの厚みを比較例の場合よりもさらに薄くして、装置全体の厚みの低減を図ることが可能になる。また、傾斜角θ２を大きくする代わりに、傾斜縁面１１２ｄの幅を小さくすることが可能になるので、表示領域Ａより外側に張り出した領域を小さくし、装置の平面サイズを小さくすることも可能になる。
【００４４】
さらに、本実施形態では、導光板１１２の端面１１２ａを光出射面１１２ｂと直交する面に対して光軸１１１ｘと直交する面側に傾斜させている。これによって、端面１１２ａから入射する光の取り込み効率をさらに高めることができる。特に、端面１１２ａを光軸１１１ｘと直交する面と平行に形成することが最も望ましい。
【００４５】
図４は、上記実施形態とは異なる実施形態を示す拡大部分断面図である。この実施形態は、基本的に先に説明した実施形態と同様の各部の構成を有するので、同一部分には同一符号を付し、それらの説明は省略する。
【００４６】
本実施形態では、光源１１１の光放出面１１１ａと、導光板１１２の端面１１２ａとが完全に整合した傾斜角度を有する（すなわち、光放出面１１１ａと端面１１２ａが共に平面で、かつ、端面１１２ａが光軸１１１ｘと直交する面と平行になっている）とともに相互に密着している点で、図２に示す先の実施形態とは異なる。光放出面１１１ａと端面１１２ａとを密着させることにより、外部へ漏れる光量を低減できるため、両面での反射等による光損失が低減され、導光板１１２への光の取り込み効率をさらに高めることができる。
【００４７】
図５は、上記実施形態とはさらに異なる実施形態を示す拡大部分断面図である。この実施形態でも、基本的に先に説明した実施形態と同様の各部の構成を有するので、同一部分には同一符号を付し、それらの説明は省略する。
【００４８】
本実施形態では、光源１１１′が先に説明した各実施形態とは異なる。先の実施形態では、光源１１１が光出射面１１２ｂに対して傾斜した支持面、すなわち、支持部材である配線基板１１７の表面により支持され、これにより、光軸１１１ｘを傾けていたのに対して、本実施形態では、光源１１１′は、光軸１１１ｘに対して傾斜した設置面１１１ｂを有し、この設置面１１１ｂを支持面となる配線基板１１７の表面で支持した構成とすることにより、光軸１１１ｘを傾けている。例えば、図示例の場合、本体１１１ｔの外面上に楔状の付加部１１１ｓを設け、付加部１１１ｓの表面が上記設置面１１１ｂを構成するようにしている。
【００４９】
上記のようにすると、例えば、配線基板１１７を図示のように水平に（すなわち、その表面である支持面が例えば導光板１１２の光出射面１１２ｂと平行になるように）設置した場合でも、配線基板１１７に実装された光源１１１′の光軸１１１ｘは導光板１１２の裏面１１２ｃ側に傾くこととなる。したがって、光源１１１′の構造自体によって光軸１１１ｘの傾斜角を設定することが可能になるので、配線基板１１７の支持構造等（例えば、導光板１１２の張り出し部の構造、或いは、図示しないケース体の構造など）の他の構造の変更がほとんど不要になる。
【００５０】
次に、上記各実施形態の電気光学装置１００を搭載した電子機器の構成例について、図６及び図７を参照して説明する。
【００５１】
図６は、本発明に係る電子機器の一実施形態であるノート型パーソナルコンピュータを示している。このパーソナルコンピュータ２００は、複数の操作ボタン２０１ａや他の操作装置２０１ｂを備えた本体部２０１と、この本体部２０１に接続され、表示画面２０２ａを備えた表示部２０２とを備えている。図示例の場合、本体部２０１と表示部２０２は開閉可能に構成されている。表示部２０２の内部には上述の電気光学装置（液晶表示装置）１００が内蔵されており、表示画面２０２ａに所望の表示画像が表示されるようになっている。この場合、パーソナルコンピュータ２００の内部には、上記電気光学装置１００を制御する表示制御回路が設けられる。この表示制御回路は、電気光学装置１００に対して映像信号その他の入力データや所定の制御信号を送り、その動作態様を決定するように構成されている。
【００５２】
本実施例では、実施形態の電気光学装置１００を用いることにより、表示部２０２の薄型化及び額縁部分（表示画面２０２ａの周囲にある周辺部分）の幅を低減することが可能になり、これによってコンピュータ２００の薄型化及び小型化を図ることができる。
【００５３】
図７は、本発明に係る電子機器の他の実施形態である携帯電話機を示している。ここに示す携帯電話機３００は、複数の操作ボタン３０１ａ，３０１ｂ及び送話口などを備えた操作部３０１と、表示画面３０２ａや受話口などを備えた表示部３０２とを有し、表示部３０２の内部に上記の電気光学装置１００が組み込まれてなる。そして表示部３０２の表示画面３０２ａにおいて電気光学装置１００により形成された表示画像を視認することができるようになっている。この場合、携帯電話機３００の内部には、上記電気光学装置１００を制御する表示制御回路が設けられる。この表示制御回路は、電気光学装置１００に対して映像信号その他の入力データや所定の制御信号を送り、その動作態様を決定するように構成されている。
【００５４】
この実施例でも、表示部３０２の薄型化及び狭額縁化が可能になることにより、携帯電話機の薄型化及び小型化を図ることができる。
【００５５】
尚、本発明の電気光学装置及び電子機器は、上述の図示例にのみ限定されるものではなく、本発明の要旨を逸脱しない範囲内において種々変更を加え得ることは勿論である。例えば、本発明の照明装置は液晶表示装置に限らず、種々の電気光学装置に用いることができるとともに、電気光学装置以外の種々の製品、例えば、照明器具、検査装置等に適用することも可能である。
【００５６】
また、本発明に係る導光板としては、上記各実施形態のような平行平板状の部分に光出射面を備え、この光出射面の端面側に光入射領域を備えたものに限らず、端面に向けて徐々に厚みが増大する楔形の導光板であっても構わない。
【図面の簡単な説明】
【００５７】
【図１】電気光学装置の実施形態の全体構成を示す概略縦断面図（ａ）及び照明ユニットの概略平面図。
【図２】実施形態の照明ユニットの拡大部分断面図。
【図３】比較例の照明ユニットの拡大部分断面図。
【図４】異なる実施形態の照明ユニットの拡大部分断面図。
【図５】さらに異なる実施形態の照明ユニットの拡大部分断面図。
【図６】電子機器の実施形態の概略斜視図。
【図７】他の電子機器の実施形態の概略斜視図。
【図８】比較例の電気光学装置の全体構成を示す概略縦断面図（ａ）及び照明ユニットの概略平面図（ｂ）。
【符号の説明】
【００５８】
１００…電気光学装置、１１０…照明ユニット、１１１…光源、１１１ｘ…光軸、１１１ａ…光放出面、１１２…導光板、１１２ａ…端面、１１２ｂ…光出射面、１１２ｃ…裏面、１１２ｄ…傾斜縁面、１１２ｅ…張り出し部、１２０…電気光学制御体、２００，３００…電子機器
【図１】
2007141596.tif 000003
【図２】
2007141596.tif 000004
【図３】
2007141596.tif 000005
【図４】
2007141596.tif 000006
【図５】
2007141596.tif 000007
【図６】
2007141596.tif 000008
【図７】
2007141596.tif 000009
【図８】
2007141596.tif 000010